(57)【要約】【課題】画像データの取込みに手間と時間をかけずに所望の画像を表示させること。【解決手段】デジタルカメラ２の撮像部３１は、フォトフレーム１を含む被写体を撮影し、液晶モニタ３７はその被写体画像を表示し、制御演算部４０は、被写体画像中のフォトフレーム１の液晶ディスプレイ１７の表示画面部分の位置のデータを算出し、その位置のデータに基づいてフラッシュメモリ３５に記憶されている撮影画像を図形変換し、被写体画像中の液晶ディスプレイ１７の表示画面部分に図形変換された撮影画像を嵌め込み、ＷｉＦｉ通信部３９は、図形変換された撮影画像の原画像をＷｉＦｉ通信部１９を介してフォトフレーム１へ送信し、液晶ディスプレイ１７はその原画像を表示する。【選択図】図１
2012186518.tif 000002
【特許請求の範囲】
【請求項１】
画像を表示画面上に表示する画像表示装置を含む被写体を撮影して被写体画像を作成する撮像手段と、
前記被写体画像を表示画面上に表示するモニタと、
画像データを記憶する画像記憶手段と、
前記モニタの表示画面上に表示された前記被写体画像中の所定の部分画像の位置のデータを算出する演算手段と、
前記所定の部分画像の位置のデータに基づいて前記画像記憶手段に記憶されている所定の画像を図形変換し、前記モニタの表示画面上の前記所定の部分画像に前記図形変換された所定の画像を嵌め込む画像処理手段と、を備えることを特徴とする撮像装置。
【請求項２】
画像を表示画面に表示するディスプレイと、画像を受信する第１の通信手段とを有する画像表示装置と、
被写体を撮影して画像を作成する撮像手段と、複数の画像を記憶する画像記憶手段と、画像を表示画面に表示するモニタと、前記モニタの表示画面上に表示される所定の画像の位置を算出する演算手段と、画像を処理して処理後の画像を前記モニタの表示画面に表示させる画像処理手段と、画像を送信する第２の通信手段とを有する撮像装置とを備え、
前記ディスプレイは、その表示画面上に所定パターンのマーク画像を表示し、
前記撮像手段は、前記マーク画像が表示された前記画像表示装置を含む被写体を撮影し、
前記モニタは、その表示画面上に前記撮影された被写体画像を表示し、
前記演算手段は、前記モニタの表示画面に表示された前記被写体画像中のディスプレイの表示画面部分の位置のデータを算出し、
前記画像処理手段は、前記位置のデータに基づいて前記画像記憶手段に記憶されている所定の画像を図形変換し、前記モニタの表示画面上の前記ディスプレイの表示画面部分に前記図形変換された所定の画像を嵌め込み、
前記第２の通信手段は、前記所定の画像を前記第１の通信手段を介して前記画像表示装置へ送信し、
前記ディスプレイは、その表示画面上に前記第１の通信手段により受信した前記所定の画像を表示することを特徴とする画像表示システム。
【請求項３】
請求項２に記載の画像表示システムにおいて、
前記撮像手段は、前記マーク画像が表示された前記画像表示装置を含む被写体をライブビュー画像として撮影し、
前記モニタは、その表示画面上に前記撮影されたライブビュー画像を表示し、
前記演算手段は、前記モニタの表示画面に表示された前記ライブビュー画像中のディスプレイの表示画面部分の位置のデータを算出することを特徴とする画像表示システム。
【請求項４】
請求項２に記載の画像表示システムにおいて、
前記撮像手段は、前記マーク画像が表示された前記画像表示装置を含む被写体を静止画像として撮影し、
前記画像記憶手段は、前記撮影された静止画像を記憶し、
前記モニタは、その表示画面上に前記画像記憶手段に記憶された静止画像を再生表示し、
前記演算手段は、前記モニタの表示画面に再生表示された前記静止画像中のディスプレイの表示画面部分の位置のデータを算出することを特徴とする画像表示システム。
【請求項５】
請求項２〜４のいずれか１項に記載の画像表示システムにおいて、
前記撮像装置は、前記ディスプレイの表示画面上のマーク画像を検出する検出手段を更に有し、
前記演算手段は、前記検出手段によるマーク画像の検出結果に基づいて、前記モニタの表示画面上に表示されたディスプレイの表示画面部分の位置のデータを算出することを特徴とする画像表示システム。
【請求項６】
請求項２〜５のいずれか１項に記載の画像表示システムにおいて、
前記画像処理手段は、前記画像記憶手段に記憶されている複数の画像を順次図形変換して前記モニタの表示画面上の前記ディスプレイの表示画面部分に順次嵌め込み、
前記撮像装置は、前記モニタの表示画面上に順次表示される前記図形変換された複数の画像から所定の画像を選択する選択手段を更に有し、
前記第２の通信手段は、前記選択手段により選択された前記図形変換された画像に対応する所定の画像を前記第１の通信手段を介して前記画像表示装置へ送信することを特徴とする画像表示システム。
【発明の詳細な説明】
【技術分野】
【０００１】
本発明は、ディスプレイに画像を表示する画像表示システムに関する。
【背景技術】
【０００２】
撮影した写真をプリントして観賞する代わりに、近年、デジタルカメラで撮影した画像データを読み込んで画像を表示するフォトフレーム（デジタルフォトフレーム）が普及しつつある。フォトフレームは、多くの場合、ユーザーの利便性や美的感覚を満足させる場所、例えば部屋の壁に掛けられたり机などの家具の上に置かれる。そして、フォトフレームに表示する画像もその設置場所の雰囲気に適したものが選ばれる。
【０００３】
そのような画像を選ぶ場合、先ず、フォトフレームに画像データを取り込んで画像を表示し、その画像が気に入らなければ次の画像を表示する必要がある。例えば、室内に飾った時に調和のとれた額縁を選択できる装置、すなわち、外部のデータサーバ装置から送信された額縁と絵画の画像を合成することにより、あたかも室内に額縁付き絵画を設置したのと同じ環境をシミュレーションで可視化できる装置が知られている（例えば、特許文献１参照）。
【先行技術文献】
【特許文献】
【０００４】
【特許文献１】特開２００９−２７１８２２号公報
【発明の概要】
【発明が解決しようとする課題】
【０００５】
しかしながら、特許文献１の装置では、予め登録しておいた額縁と絵画の画像を外部のデータサーバ装置から受信しなければならず、画像データの取込みに手間と時間がかかるという問題がある。
【課題を解決するための手段】
【０００６】
請求項１の発明による撮像装置は、画像を表示画面上に表示する画像表示装置を含む被写体を撮影して被写体画像を作成する撮像手段と、前記被写体画像を表示画面上に表示するモニタと、画像データを記憶する画像記憶手段と、前記モニタの表示画面上に表示された前記被写体画像中の所定の部分画像の位置のデータを算出する演算手段と、前記所定の部分画像の位置のデータに基づいて前記画像記憶手段に記憶されている所定の画像を図形変換し、前記モニタの表示画面上の前記所定の部分画像に前記図形変換された所定の画像を嵌め込む画像処理手段と、を備えることを特徴とする。
請求項２の発明による画像表示システムは、画像を表示画面に表示するディスプレイと、画像を受信する第１の通信手段とを有する画像表示装置と、被写体を撮影して画像を作成する撮像手段と、複数の画像を記憶する画像記憶手段と、画像を表示画面に表示するモニタと、前記モニタの表示画面上に表示される所定の画像の位置を算出する演算手段と、画像を処理して処理後の画像を前記モニタの表示画面に表示させる画像処理手段と、画像を送信する第２の通信手段とを有する撮像装置とを備え、前記ディスプレイは、その表示画面上に所定パターンのマーク画像を表示し、前記撮像手段は、前記マーク画像が表示された前記画像表示装置を含む被写体を撮影し、前記モニタは、その表示画面上に前記撮影された被写体画像を表示し、前記演算手段は、前記モニタの表示画面に表示された前記被写体画像中のディスプレイの表示画面部分の位置のデータを算出し、前記画像処理手段は、前記位置のデータに基づいて前記画像記憶手段に記憶されている所定の画像を図形変換し、前記モニタの表示画面上の前記ディスプレイの表示画面部分に前記図形変換された所定の画像を嵌め込み、前記第２の通信手段は、前記所定の画像を前記第１の通信手段を介して前記画像表示装置へ送信し、前記ディスプレイは、その表示画面上に前記第１の通信手段により受信した前記所定の画像を表示することを特徴とする。
【発明の効果】
【０００７】
本発明の画像表示システムによれば、撮像装置がもっている画像データを用いているので、画像データの取込みに手間と時間はかからない。
【図面の簡単な説明】
【０００８】
【図１】本発明の実施の形態に係る画像表示システム１００の構成を示すブロック図である。
【図２】第１の実施の形態に係る画像表示システム１００の動作手順を示すフローチャートである。
【図３】デジタルカメラ２とフォトフレーム１との位置関係、及び、デジタルカメラ２の表示画面内容を模式的に示す図であり、図２のフローチャートのステップＳ１１に対応する。
【図４】デジタルカメラ２とフォトフレーム１との位置関係、及び、デジタルカメラ２の表示画面内容を模式的に示す図であり、図２のフローチャートのステップＳ１５に対応する。
【図５】デジタルカメラ２とフォトフレーム１との位置関係、及び、デジタルカメラ２の表示画面内容を模式的に示す図であり、図２のフローチャートのステップＳ１９に対応する。
【図６】第２の実施の形態に係る画像表示システム１００の動作手順を示すフローチャートである。
【発明を実施するための形態】
【０００９】
以下、本発明の実施の形態による画像表示システムについて、図面を参照しながら説明する。
−第１の実施の形態−
図１に示されるように、画像表示システム１００は、フォトフレーム１とデジタルカメラ２とを備え、両者間は通信で接続される。フォトフレーム１は、デジタル写真立てとも呼ばれるように、例えば、液晶ディスプレイにデジタル画像を表示して部屋の壁に掛けたり、机などの家具の上に置かれる。デジタルカメラ２は、デジタル画像を撮影する機器であり、通常、撮影者が持ち歩いて撮影するものである。
【００１０】
フォトフレーム１は、ＵＳＢコントローラ１１と、カードコントローラ１２と、Ｉ／Ｆドライバ１３と、操作スイッチ１４と、フラッシュメモリ１５と、ＬＣＤドライバ１６と、液晶ディスプレイ１７と、ＷｉＦｉドライバ１８と、ＷｉＦｉ通信部１９と、制御部２０と、電源コントローラ２１と、バッテリ２２とを備える。ＵＳＢコントローラ１１、カードコントローラ１２、Ｉ／Ｆドライバ１３、フラッシュメモリ１５、ＬＣＤドライバ１６、ＷｉＦｉドライバ１８、ＷｉＦｉ通信部１９及び電源コントローラ２１は、制御部２０と接続されている。なお、ＷｉＦｉとは、Ｗｉｒｅｌｅｓｓ  Ｆｉｄｅｌｉｔｙ  Ａｌｌｉａｎｃｅによって、無線ＬＡＮ機器間の相互接続性を認証されたことを表わす名称である。
【００１１】
デジタルカメラ２は、撮像部３１と、カードコントローラ３２と、Ｉ／Ｆドライバ３３と、操作スイッチ３４と、フラッシュメモリ３５と、ＬＣＤドライバ３６と、液晶モニタ３７と、ＷｉＦｉドライバ３８と、ＷｉＦｉ通信部３９と、制御演算部４０と、電源コントローラ４１と、バッテリ４２とを備える。撮像部３１、カードコントローラ３２、Ｉ／Ｆドライバ３３、フラッシュメモリ３５、ＬＣＤドライバ３６、ＷｉＦｉドライバ３８及び電源コントローラ４１は、制御演算部４０と接続されている。また、ＷｉＦｉ通信部１９とＷｉＦｉ通信部３９との間では双方向の通信が可能である。そのために、無線ＬＡＮのルーターのように、デジタルカメラ２にはフォトフレーム１が事前に登録されている。
【００１２】
フォトフレーム１の構成部品について説明する。ＵＳＢコントローラ１１は、ＵＳＢコネクタ１１ａを介してＰＣやデジタルカメラなどの外部機器２４に接続され、画像データなどの情報の入出力をコントロールする。カードコントローラ１２は、カードスロット１２ａを介してＳＤカードやＣＦカードなどのメモリーカード２５との画像データなどの情報の入出力をコントロールする。Ｉ／Ｆドライバ１３は、操作スイッチ１４からの操作入力をコントロールする。操作スイッチ１４は、電源投入のＯＮ／ＯＦＦを行う電源ボタン、メニューや画像を液晶ディスプレイ１７に順次表示させて選択を行う選択／決定ボタンなどを含む。フラッシュメモリ１５は、デジタルカメラ２、外部機器２４、メモリーカード２５から入力された画像データを記憶する。ＬＣＤドライバ１６は、液晶ディスプレイ１７の表示態様をコントロールする。ＷｉＦｉドライバ１８は、ＷｉＦｉ通信部１９の送受信動作をコントロールする。電源コントローラ２１は、バッテリ２２、ＡＣ電源２３からの電圧、電流などをコントロールする。制御部２０は、これらのコントローラやドライバを制御する。
【００１３】
次に、デジタルカメラ２の構成部品について説明する。撮像部３１は、ズームレンズやフォーカスレンズを含む撮影レンズと撮像素子とを有し、撮影レンズにより被写体像を撮像素子上に結像し、撮像素子によりその光像が光電変換されて生成される画像信号を出力する。カードコントローラ３２は、カードスロット３２ａを介してＳＤカードやＣＦカードなどのメモリーカード２６との画像データなどの情報の入出力をコントロールする。Ｉ／Ｆドライバ３３は、操作スイッチ３４からの操作に応じた信号入力をコントロールする。
【００１４】
操作スイッチ３４は、電源投入のＯＮ／ＯＦＦを行う電源ボタン、撮影動作の指令を行うレリーズボタン、メニューや画像を順次表示させて選択を行う選択／決定ボタンなどを含む。レリーズボタンの半押し状態では、撮影の準備としてＡＦ動作やＡＥ動作が行われ、液晶モニタ３７には被写体のライブビュー画像（スルー画像）が表示される。また、レリーズボタンの全押し状態では、被写体の静止画像や動画像の本撮影が行われ、これらの被写体画像データは一連の画像処理が施された後にフラッシュメモリ３５、或いはメモリーカード２６にて記憶される。
【００１５】
フラッシュメモリ３５は、フォトフレーム１やメモリーカード２６から入力された画像データ（静止画像データ、動画像データ）も記憶する。ＬＣＤドライバ３６は、液晶モニタ３７の表示態様をコントロールする。ＷｉＦｉドライバ３８は、ＷｉＦｉ通信部３９の送受信動作をコントロールする。電源コントローラ４１は、バッテリ４２からの電圧、電流などをコントロールする。
【００１６】
制御演算部４０は、これらのコントローラやドライバを制御すると共に、以下の機能を有する。すなわち、制御演算部４０は、撮像部３１により撮影された被写体画像中の所定の部分画像を検出する検出機能、所定の部分画像の位置と大きさ、つまり液晶モニタ３７の表示画面上の位置座標である位置のデータを算出する演算機能、及びその位置のデータに基づいて画像を図形変換し、変換された画像の嵌め込み処理などを行う画像処理機能を備えている。
【００１７】
以上のように構成された画像表示システム１００の動作について説明する。
この第１の実施の形態においては、デジタルカメラ２は、フォトフレーム１を含む被写体をライブビュー画像として撮影し、このライブビュー画像中の液晶ディスプレイ１７の表示画面部分の位置のデータを算出し、その表示画面部分に所定の静止画像を嵌め込み合成する。
【００１８】
先ず、ユーザーがフォトフレーム１及びデジタルカメラ２の電源を投入して起動すると、フォトフレーム１の液晶ディスプレイ１７には、前回の電源ＯＦＦ時に表示されていた画像が表示される。
【００１９】
図２のフローチャートを参照すると、ステップＳ１１において、ユーザーは、デジタルカメラ２の選択／決定ボタンによりメニュー画面から「フォトフレーム操作モード」を選択する。この様子は、図３に示されるように、デジタルカメラ２の液晶モニタ３７に、「フォトフレーム操作モード」の文字３７ａがフォトフレーム像１Ａを含む被写体画像に重畳表示される。このデジタルカメラ２は、机の上に載っているフォトフレーム１に向けられており、フォトフレーム１の液晶ディスプレイ１７には、前回の電源ＯＦＦ時の画像１７ａが表示されている。
【００２０】
ステップＳ１２において、デジタルカメラ２は、フォトフレーム１が近傍に存在することを無線通信によって確認し、フォトフレーム１との間で相互通信の為の認証を行う。ステップＳ１３において、デジタルカメラ２は、ＷｉＦｉ通信部３９からＷｉＦｉ通信部１９への通信により、フォトフレーム１を「画像操作モード」に設定するための指示信号をフォトフレーム１に送信する。
【００２１】
ステップＳ１４において、フォトフレーム１は、上記の指示信号の受信に応じて「画像操作モード」に設定され、現在表示されている画像に代えて、予め定められたマーク画像を液晶ディスプレイ１７の矩形の表示画面に表示する。このマーク画像は、一般の被写体と区別できる形状（パターン）や色を有していればよく、例えば原色の幾何学的なパターンが望ましい。また、デジタルカメラ２は、このマーク画像と液晶ディスプレイ１７の矩形の表示画面との間で、大きさ、形状、位置に関する対応情報を有している。すなわち、マーク画像の位置座標と液晶ディスプレイ１７の表示画面の位置座標とは対応付けられている。従って、必ずしもマーク画像が液晶ディスプレイ１７の表示画面一杯に表示されていなくても使用できる。また、マーク画像のパターンに、液晶ディスプレイ１７の表示画面のサイズ情報を表わす二次元コードを付加しておいてもよい。
【００２２】
ステップＳ１５において、ユーザーは、マーク画像を表示しているフォトフレーム１に対してデジタルカメラ２を正面から又は斜めの任意の角度から向けてレリーズボタンの半押しを行うと、撮像部３１は、被写体をライブビュー画像として撮影する。この様子は、図４に示されるように、デジタルカメラ２の液晶モニタ３７に、マーク画像１７ｂを表示しているフォトフレーム１を含む被写体画像がライブビュー画像として表示されている。ライブビュー画像の撮影中は、フォトフレーム１が常に撮影画角内に入っていることが必要である。デジタルカメラ２とフォトフレーム１の相対位置が変われば、液晶モニタ３７に表示されているフォトフレーム像１Ａやマーク画像３７ｂの大きさ、形状、位置も変化する。
【００２３】
ステップＳ１６において、デジタルカメラ２の制御演算部４０は、この被写体画像中のマーク画像を公知のパターンマッチングによる画像認識方法を用いて検出する。
ステップＳ１７において、制御演算部４０は、ライブビュー画像として表示されているマーク画像の大きさ、形状及び表示位置に基づいて、液晶ディスプレイ１７の表示画面部分の位置のデータ、すなわち、大きさ、形状及び表示位置とを算出する。この算出動作は、ライブビュー画像について所定の時間間隔で行われる。
【００２４】
ステップＳ１８において、制御演算部４０は、フラッシュメモリ３５に記憶されている撮影画像データ（静止画像データ、動画像データ）を読み出し、読み出された撮影画像データを液晶ディスプレイ１７の表示画面部分の大きさ、形状及び表示位置に対応するように図形変換する。図形変換には、平行線が平行線に変換されるアフィン変換や、平行線の平行性が保証されない射影変換などがある。
【００２５】
ステップＳ１９において、制御演算部４０は、液晶モニタ３７に表示されているライブビュー画像中の液晶ディスプレイ１７の表示画面部分に、それまで表示されていたマーク画像に代えて、図形変換された撮影画像データに基づいた画像を合成して表示する、すなわち図形変換された撮影画像を嵌め込む。
この様子は、図５に示されるように、デジタルカメラ２の液晶モニタ３７に、液晶ディスプレイ１７の表示画面部分に嵌め込まれた画像３７ｃを表示しているフォトフレーム１を含む被写体画像がライブビュー画像として表示されている。このとき、液晶ディスプレイ１７には、依然としてマーク画像１７ｂが表示されている。
【００２６】
嵌め込み画像を含んだライブビュー画像は、その嵌め込み画像の原画像、すなわち図形変換前の撮影画像が表示されているフォトフレーム１を撮影した映像と見かけ上は同一である。従って、ユーザーは、このライブビュー画像を観察することにより、図形変換前の撮影画像が表示されているフォトフレーム１が設置されている場所の雰囲気をリアルタイムで観察することができる。
【００２７】
ステップＳ２０において、ユーザーは、現在表示されている嵌め込み画像の原画像を液晶ディスプレイ１７に表示するか否かを決定する。ステップＳ２１において、操作スイッチの選択／決定ボタンの操作により現在の嵌め込み画像の選択を決定した場合は、ステップＳ２２において、現在の嵌め込み画像の原画像データ、つまり図形変換前の撮影画像データをＷｉＦｉ通信部３９からＷｉＦｉ通信部１９へ送信する。ステップＳ２３において、ＷｉＦｉ通信部１９により受信された図形変換前の撮影画像データは、フォトフレーム１の液晶ディスプレイ１７に表示される。
【００２８】
他方、ステップＳ２０において、ユーザーが現在表示されている嵌め込み画像を選択しなかった場合は、ステップＳ２４において、操作スイッチの選択／決定ボタンの操作によりフラッシュメモリ３５に記憶されている撮影画像データの中から２番目の撮影画像データを読み出す。
【００２９】
ステップＳ１７では、液晶ディスプレイ１７の表示画面部分の位置のデータの算出を所定の時間間隔で実行しているので、２番目の撮影画像データが読み出された時点で、その撮影画像データに対して、ステップＳ１８の図形変換を行い、ステップＳ１９の画像嵌め込みを行い、ステップＳ２０の画像選択を行う。そして、ステップＳ２０において、２番目の嵌め込み画像の選択を決定した場合は、ステップＳ２１〜Ｓ２３の動作を行う。なお、ステップＳ２０において、２番目の嵌め込み画像も選択しなかった場合は、３番目の撮影画像データに対して同様の動作を実行する。この動作は、嵌め込み画像も選択するまで繰り返される。
【００３０】
上述の第１の実施の形態は以下の効果を奏するものである。
（１）デジタルカメラ２のフラッシュメモリ３５に記憶されている撮影画像データを用いて図形変換、嵌め込み合成を行い、選択された撮影画像データのみをフォトフレーム１へ送信するので、フォトフレーム１への画像データの取込みに手間と時間がかからない。
（２）デジタルカメラ２のフラッシュメモリ３５に記憶されている撮影画像データを図形変換して嵌め込み画像を作成し、これをライブビュー画像として観察することにより臨場感が得られるので、選択された撮影画像とフォトフレーム１との関係、フォトフレーム１の周辺とのマッチングを仮想的現実として把握しやすい。
【００３１】
−第２の実施の形態−
上述の第１の実施の形態では、フォトフレーム１を含む被写体をライブビュー画像として撮影し、このライブビュー画像中の液晶ディスプレイ１７の表示画面部分の位置のデータを常時算出するものであったが、第２の実施の形態では、フォトフレーム１を含む被写体を静止画像として撮影し、この静止画像中の液晶ディスプレイ１７の表示画面部分の位置のデータを算出する点で異なる。従って、本実施の形態では、主としてこれらの相違点を説明する。なお、第２の実施の形態の画像表示システムも、図１に示した画像表示システム１００と同一構成である。
【００３２】
図６のフローチャートを図２のフローチャートと対比すると、図６のフローチャートのステップＳ３１〜３４の動作は、図２のフローチャートのステップＳ１１〜１４の動作のそれぞれと同様である。
ステップＳ３５において、ユーザーは、マーク画像を表示しているフォトフレーム１に対してデジタルカメラ２を正面から又は斜めの任意の角度から向けてレリーズボタンの全押しを行うと、撮像部３１は被写体を静止画像として撮影する。
【００３３】
ステップＳ３６において、この静止画像データはフラッシュメモリ３５に記憶される。
ステップＳ３７において、フラッシュメモリ３５に記憶された静止画像データに基づく静止画像が液晶モニタ３７に再生表示される。
ステップＳ３８において、デジタルカメラ２の制御演算部４０は、この静止画像中のマーク画像を検出する。
ステップＳ３９において、制御演算部４０は、静止画像中のマーク画像の大きさ、形状及び表示位置に基づいて、液晶ディスプレイ１７の表示画面部分の位置のデータ、すなわち、大きさ、形状及び表示位置を算出する。
【００３４】
ステップＳ４０において、制御演算部４０は、液晶ディスプレイ１７の表示画面部分の位置のデータを算出した後に、算出終了信号をＷｉＦｉ通信部３９からＷｉＦｉ通信部１９へ送信する。フォトフレーム１の制御部２０は、算出終了信号を受信すると、マーク画像に代えて前回の電源ＯＦＦ時に表示されていた画像を液晶ディスプレイ１７に表示させる。このように元の画像を再表示することによって、ステップＳ４１以降の処理中に、操作しているユーザー以外の液晶ディスプレイ１７の鑑賞者はマーク画像を見続けることから開放されると共に、フォトフレーム１が存在することによる静的な佇まいと美観を損ねることがない。
【００３５】
ステップＳ４１以降の動作は、第１の実施の形態の動作と同様である。すなわち、ステップＳ４１〜４７の動作は、図２のフローチャートのステップＳ１８〜２４の動作のそれぞれと同様である。但し、図２のステップＳ１９に対応するステップＳ４２（図形変換された撮影画像を嵌め込むステップ）においては、液晶ディスプレイ１７には元の画像１７ａが表示されているという相違点がある。つまり、図５に示される液晶ディスプレイ１７には、マーク画像ではなく元の画像１７ａが表示される。
【００３６】
上述の第２の実施の形態は以下の効果を奏するものである。
（１）デジタルカメラ２のフラッシュメモリ３５に記憶されている撮影画像データを用いて図形変換、嵌め込み合成を行い、選択された撮影画像データのみをフォトフレーム１へ送信するので、フォトフレーム１への画像データの取込みに手間と時間がかからない。
（２）フォトフレーム１を含む被写体を静止画像として撮影し、この静止画像中の液晶ディスプレイ１７の表示画面部分の位置のデータを算出するので、ユーザーは常にフォトフレーム１へ向けてデジタルカメラ２を構える必要がなく、操作面での利便性が高い。
（３）フォトフレーム１を含む被写体を静止画像として撮影し、１枚の静止画像中の液晶ディスプレイ１７の表示画面部分の位置のデータを算出するだけなので、デジタルカメラ２の制御演算部４０の演算処理の負荷は、ライブビュー画像を用いる場合よりも軽減され、処理能力の劣る安価な機種でも本発明に採用できる。
【００３７】
以下、上記の実施の形態の変形例について説明する。
（変形例１）
第２の実施の形態は、フラッシュメモリ３５に記憶された静止画像データを読み出してその静止画像を液晶モニタ３７に再生表示させるものであったが、本画像を用いずにサムネイル画像を用いて、そのサムネイル画像中の液晶ディスプレイ１７の表示画面部分の位置のデータを算出してもよい。サムネイル画像は本画像よりもデータ容量が小さいので、算出処理時間を短縮できる。
【００３８】
（変形例２）
第２の実施の形態は、フラッシュメモリ３５に記憶されている撮影画像データを読み出してその撮影画像データを図形変換するものであったが、本画像を用いずにサムネイル画像を用いて、そのサムネイル画像に対して図形変換してもよい。サムネイル画像は本画像よりもデータ容量が小さいので、算出処理時間を短縮できる。
【００３９】
（変形例３）
第２の実施の形態は、制御演算部４０がマーク画像を使用して静止画像中の液晶ディスプレイ１７の表示画面部分の位置のデータを算出するものであったが、マーク画像を用いずにその位置のデータを算出することもできる。すなわち、液晶モニタ３７をタッチパネルタイプとし、ユーザーは、マーク画像を含まない静止画像を再生表示させ、液晶ディスプレイ１７の表示画面部分の四隅をそれぞれタッチして、液晶モニタ３７画面上の位置座標を制御演算部４０に入力する。制御演算部４０は、この四隅の位置座標値に基づき、液晶モニタ３７画面に対する液晶ディスプレイ１７の表示画面部分の大きさ、形状及び表示位置を算出する。
【００４０】
（変形例４）
第１及び第２の実施の形態は、フォトフレーム１側がマーク画像データを記憶しており、デジタルカメラ２からの指示信号の受信に応じてマーク画像を液晶ディスプレイ１７に表示するものであったが、デジタルカメラ２側がマーク画像データを記憶しており、指示信号の送信と同時にマーク画像データも送信し、フォトフレーム１は、それまで表示されている画像に代えて受信したマーク画像データによるマーク画像を液晶ディスプレイ１７に表示してもよい。この利点は、デジタルカメラ２がマーク画像データをフォトフレーム１へ送信するので、既存のフォトフレームでも本発明を適用できることである。
【００４１】
（変形例５）
第１及び第２の実施の形態は、デジタルカメラ２側だけが撮影画像データを記憶しているものであったが、フォトフレーム１とデジタルカメラ２の双方が同一の撮影画像データを記憶している場合にも本発明を適用できる。すなわち、デジタルカメラ２の撮影画像データを用いて図形変換、嵌め込み合成を行って撮影画像データを選択した場合に、デジタルカメラ２は、その選択された撮影画像データそのものを送信せず、選択された撮影画像データを特定する情報、例えばファイル名やファイル番号のみをフォトフレーム１へ送信し、フォトフレーム１は、その情報に基づいて自身が記憶している撮影画像データを再生表示する。この利点は、通信データ量が少ないことである。
【００４２】
（変形例６）
第１及び第２の実施の形態は、デジタルカメラ２側だけが撮影画像データを記憶しているものであったが、これとは反対に、フォトフレーム１側だけが撮影画像データを記憶している場合にも本発明を適用できる。すなわち、デジタルカメラ２は、液晶ディスプレイ１７の表示画面部分の位置のデータを算出した後に、フォトフレーム１へ撮影画像データを送信するように指令を出し、受信した撮影画像データを図形変換し、嵌め込み合成する。送信させる撮影画像データは、サムネイル画像データだけでもよい。
【００４３】
上述の実施の形態では、デジタルカメラ２とフォトフレーム１とを備え、デジタルカメラ２とフォトフレーム１との間で画像データなどの通信を行う画像表示システム１００について説明した。ここでは、デジタルカメラ２は画像表示システム１００の専用の機器であるが、上述した機能を有するデジタルカメラ単体も本発明に含まれる。すなわち、撮影した被写体画像中の所定の部分画像の位置のデータを算出し、その位置のデータに基づいて画像記憶手段に記憶されている所定の画像を図形変換し、モニタの表示画面上の所定の部分画像に図形変換された所定の画像を嵌め込む機能や通信機能を有するデジタルカメラも本発明に含まれる。汎用のデジタルカメラにこれらの機能を実現するためのアプリケーションを導入することでも同様の効果が得られる。
なお、デジタルカメラ２の代りに携帯電話機を画像表示システム１００に適用してもよい。
本発明は、その特徴を損なわない限り、以上説明した実施の形態に何ら限定されない。
【符号の説明】
【００４４】
１：フォトフレーム                    ２：デジタルカメラ
１４：操作スイッチ                    １５：フラッシュメモリ
１７：液晶ディスプレイ                １９：ＷｉＦｉ通信部
２０：制御部                          ３１：撮像部
３４：操作スイッチ                    ３５：フラッシュメモリ
３７：液晶モニタ                      ３９：ＷｉＦｉ通信部
４０：制御演算部                    １００：画像表示システム
１７ｂ：マーク画像
【図１】
2012186518.tif 000003
【図２】
2012186518.tif 000004
【図３】
2012186518.tif 000005
【図４】
2012186518.tif 000006
【図５】
2012186518.tif 000007
【図６】
2012186518.tif 000008